(57)【要約】【課題】頻繁に残時間を確認する必要がなくて、副菜等の調理や暖めを開始するタイミングを定めるのが簡単であり、かつ、副菜等の調理や暖めを開始する適切なタイミングを失することが無い加熱調理器を提供すること。【解決手段】加熱調理器は、被加熱物の加熱調理の完了よりも設定時間だけ前に、予め加熱調理が完了する旨の告知を行う告知部（３１，３２）と、加熱制御部（７２）および告知制御部（７４）を含む制御装置（７０）とを備える。上記告知制御部（７４）は、被加熱物の加熱調理の完了よりも設定時間だけ前に、上記告知部（３１，３２）に上記告知を行わせる。【選択図】図３
2015147013.tif 000002
【特許請求の範囲】
【請求項１】
本体と、
上記本体内に設けられると共に、被加熱物を収容する収容部と、
上記被加熱物を加熱するための加熱部と、
上記本体に、上記収容部を開閉するように設けられた蓋体と、
上記被加熱物の加熱調理の完了よりも設定時間だけ前に、予め加熱調理が完了する旨の告知を行う告知部と、
上記加熱部を制御する加熱制御部と、上記告知部に上記告知を行わせる告知制御部とを有する制御装置と
を備えることを特徴とする加熱調理器。
【請求項２】
請求項１に記載の加熱調理器において、
上記設定時間を可変設定する可変設定部を備えることを特徴とする加熱調理器。
【請求項３】
請求項１または２に記載の加熱調理器において、
上記告知部は、音声や光で告知を行うことを特徴とする加熱調理器。
【請求項４】
請求項１から３のいずれか１つに記載の加熱調理器において、
上記加熱調理器は炊飯器であることを特徴とする加熱調理器。
【請求項５】
請求項１から４のいずれか１つに記載の加熱調理器において、
通信装置を備え、
上記告知制御部は、上記通信装置に、上記告知を他の機器に送信させる
ことを特徴とする加熱調理器。
【発明の詳細な説明】
【技術分野】
【０００１】
この発明は、炊飯器、過熱蒸気調理器、電子レンジ等の加熱調理器に関する。
【背景技術】
【０００２】
従来、炊飯器としては、特開平８−６６３０７号公報（特許文献１）に記載のように、炊飯開始手段からの開始信号を受けて、炊飯の残時間の計時を始める残時間計時手段を備え、この残時間計時手段で計時された炊飯の残時間を残時間表示手段に表示して、ユーザーに炊飯開始時から炊飯終了までにどの程度時間を必要とするか知らせるようにしたものがある。
【先行技術文献】
【特許文献】
【０００３】
【特許文献１】特開平８−６６３０７号公報
【発明の概要】
【発明が解決しようとする課題】
【０００４】
しかしながら、上記従来の炊飯器は、単に、炊飯の残時間を表示しているだけなので、ご飯の炊き上がり時間に合わせて、副菜等の調理や暖めをしたい場合、ユーザーは、残時間表示手段を随時のぞき込んで、時間を見計らって、副菜等の調理や暖めを開始する必要があった。
【０００５】
そのため、上記従来の炊飯器では、ユーザーは頻繁に残時間表示手段を確認しなければならず、面倒であり、また、副菜等の調理や暖めを開始する適切なタイミングを失してしまったりするという問題がある。
【０００６】
そこで、この発明の課題は、ユーザーが頻繁に残時間を確認する必要がなくて、副菜等の調理や暖めを開始するタイミングを定めるのが簡単であり、かつ、副菜等の調理や暖めを開始する適切なタイミングを失することが無い加熱調理器を提供することにある。
【課題を解決するための手段】
【０００７】
上記課題を解決するため、この発明の加熱調理器は、
本体と、
上記本体内に設けられると共に、被加熱物を収容する収容部と、
上記被加熱物を加熱するための加熱部と、
上記本体に、上記収容部を開閉するように設けられた蓋体と、
上記被加熱物の加熱調理の完了よりも設定時間だけ前に、予め加熱調理が完了する旨の告知を行う告知部と、
上記加熱部を制御する加熱制御部と、上記告知部に上記告知を行わせる告知制御部とを有する制御装置と
を備えることを特徴としている。
【発明の効果】
【０００８】
この発明によれば、ユーザーは、頻繁に残時間を確認する必要がなくて、副菜等の調理や暖めを開始するタイミングを定めるのが簡単であり、かつ、副菜等の調理や暖めを開始する適切なタイミングを失することが無い。
【図面の簡単な説明】
【０００９】
【図１】この発明の加熱調理器の第１実施形態の炊飯器を斜め上方から見た概略斜視図である。
【図２】上記炊飯器の蓋体が開いた状態を示す斜視図である。
【図３】上記炊飯器の要部のブロック図である。
【図４】上記炊飯器の炊飯時間−温度のパターンの一例を示すグラフである。
【図５】上記炊飯器の告知動作のフローチャートである。
【図６】この発明の加熱調理器の第２実施形態の炊飯器の要部のブロック図である。
【図７】上記炊飯器のメニュー名の分類頻度表示制御のフローチャートである。
【図８】上記炊飯器のメニュー名の分類頻度の表示例を示す図である。
【図９】変形例の要部の模式回路図である。
【図１０】他の変形例の平面図である。
【図１１】上記他の変形例の側面図である。
【発明を実施するための形態】
【００１０】
以下、この発明を図示の実施形態により詳細に説明する。
【００１１】
（第１実施形態）
図１は、この発明の加熱調理器の一例としての第１実施形態の炊飯器を斜め上方から見た概略斜視図である。この炊飯器は、本体１と、この本体１の上部に取り付けられた蓋体２とを備え、本体１の前面には、蓋体２を開けるための開ボタン３を設けている。
【００１２】
上記蓋体２の上面の前部には、炊き方や調理名などを表示する液晶表示部５と、被加熱物の種類（例えば、白米、玄米）、仕上げ方（例えば、硬め、柔らかめ）および調理方法（例えば、ご飯、お粥、シチュー）などの炊飯モードを選択するための複数の選択用ボタン６を設け、蓋体２の上面の後部に、蒸気排出口９を設けている。
【００１３】
さらに、上記蓋体２の上面には、被加熱物の加熱調理の完了よりも設定時間だけ前に、予め加熱調理が完了する旨の告知を行う告知部の一例としての音声告知部３１と、告知部の他の例としての光告知部３２と、上記設定時間を可変入力する可変設定部の一例としての設定時間用ボタン３３とを設けている。上記音声告知部３１は、スピーカーを含み、例えば、「あと、１５分で調理が完了します。」等と音声で告知を行う。また、上記光告知部３２は、例えば、発光ダイオードからなり、被加熱物の加熱調理の完了よりも設定時間だけ前になると、例えば、赤、青、緑等の目立つ色の光を点滅して出射して、ユーザーに、被加熱物の加熱調理の完了よりも設定時間だけ前になったことを光で告知する。
【００１４】
図２は、この炊飯器の蓋体２が開いた状態の斜視図である。図２に示すように、この炊飯器の本体１内に、米などの被加熱物を収容する収容部の一例としての内鍋７を取り外し可能に設けている。また、上記本体１の上面の後部には、上記蓋体２を図示しない回転軸を中心に旋回可能に取り付けて、内鍋７を開閉できるようにしている。
【００１５】
一方、上記本体１の上面の前部には被係止部８を設け、この被係止部８に、蓋体２の下面の前部に設けられた係止部２３が解除可能に係止する。上記被係止部８は、開ボタン３と連動して、この開ボタン３を押圧すると、後退して、係止部２３との係合が解除されて、蓋体２が開放する。
【００１６】
上記本体１内には、内鍋７内の米や水等の被加熱物を加熱するための加熱部の一例としての誘導加熱コイル１０を設けている。
【００１７】
上記蓋体２の後部の右側角部内には、モータ２４を取り付けている。上記蓋体２の内面には、攪拌ユニット５０を設けている。この攪拌ユニット５０は、扁平な略瓢箪形の回転体１１と、この回転体１１に起立および倒伏可能に設けた攪拌アーム１２Ａ，１２Ｂとからなる。上記回転体１１は、図示しないプーリ、ベルト、あるいは、歯車機構を介して、モータ２４によって、図示しない中心軸の回りに回転させられ、また、上記攪拌アーム１２Ａ，１２Ｂは、図示しない傘歯車機構によって、攪拌作用を行うときには、起立させられ、攪拌作用をしないときは、倒伏させられる。この攪拌ユニット５０の構成、作用は、特開２０１３−２２３５９７号公報、特開２０１３−２２６２０３号公報等で周知であり、また、この発明の要旨とは、関係ないので、詳しい説明は省略する。
【００１８】
また、上記蓋体２の内面には、開口２２ａを設け、この開口２２ａを、図１に示す蓋体２の蒸気排出口９に、図示しない蒸気排出通路を介して連通している。
【００１９】
一方、図３は、この炊飯器の制御装置７０のブロック図である。この制御装置７０は、図１には図示しないが、本体１または蓋体２に設けている。
【００２０】
上記制御装置７０は、例えば、マイクロコンピュータからなり、ＣＰＵ（中央処理装置）７１，加熱制御部７２，モータ制御部７３，告知制御部７４，タイマー７５およびメモリ７６を有する。
【００２１】
上記加熱制御部７２，モータ制御部７３および告知制御部７４は、メモリ７６に格納されているソフトウェアによって構成されており、そのソフトウェアはＣＰＵ７１によって実行される。
【００２２】
上記加熱制御部７２は、温度センサ８３によって検出された被加熱物の温度に基づいて、例えば、図４に示す炊飯時間−温度パターンになるように、加熱部の一例としての誘導加熱コイル１０を制御する。上記温度センサ８３は、図２では図示していないが、本体１に設けられて、内鍋７の底部の温度を検出して、被加熱物の温度を検出する。また、図４に示す炊飯時間−温度パターンなどの種々の炊飯時間−温度パターンは、メモリ７６に予め格納されている。
【００２３】
また、上記モータ制御部７３は、被加熱物の調理に応じて予め定められたパターンで、モータ２４を制御して、攪拌ユニット５０の回転体１１および攪拌アーム１２Ａ，１２Ｂの駆動の制御を行う。この攪拌ユニット５０の駆動の制御は、特開２０１３−２２３５９７号公報、特開２０１３−２２６２０３号公報等で周知であり、また、この発明の要旨とは、関係ないので、詳しい説明は省略する。
【００２４】
また、上記告知制御部７４は、図５のフローチャートに示すように、動作して、被加熱物の加熱調理の完了よりも設定時間だけ前に、予め加熱調理が完了する旨の告知を行うために、音声告知部３１および光告知部３２の駆動を制御する。
【００２５】
また、上記制御装置７０の告知制御部７４は、例えば、携帯電話機、電子レンジおよびオーブン等の他の機器に、通信装置８１を介して、被加熱物の加熱調理の完了よりも設定時間だけ前に、予め加熱調理が完了する旨の情報を送信させて、告知する。上記通信装置８１は、図１には図示していないが、本体１または蓋体２に設けている。
【００２６】
上記構成の炊飯器は、次のように動作する。
【００２７】
まず、図５のフローチャートのステップＳ１に示すように、ユーザーは、複数の選択用ボタン６を操作して、炊飯モードを選択する。この炊飯モードによって、被加熱物の種類（例えば、白米、玄米）、仕上げ方（例えば、硬め、柔らかめ）および調理方法（例えば、ご飯、お粥、シチュー）などが定まる。
【００２８】
そうすると、ＣＰＵ７１は、メモリ７６から、上記選択された炊飯モードに応じた炊飯時間−温度パターン（図４を参照）を読み出す（ステップＳ２）。
【００２９】
次に、ユーザーは、可変設定部としての設定時間用ボタン３３を操作して、被加熱物の加熱完了よりもどれだけ前に告知を行うかを定める設定時間（例えば、１５分）を入力する（ステップＳ３）。
【００３０】
このように、設定時間用ボタン３３で、設定時間を任意の値に設定できるから、被加熱物の加熱完了よりもどれだけ前に告知を行うかを任意に定めることができて、種々の要求の対応できて、極めて便利である。
【００３１】
次に、加熱制御部７２が加熱部としての誘導加熱コイル１０の駆動をスタートすると、タイマー７５が計時を開始する（ステップＳ４）。
【００３２】
次に、ステップＳ２で読み出された炊飯時間−温度パターンと、タイマー７５の出力とに基づいて、被加熱物の加熱完了よりも設定時間（１５分）だけ前になったか否かの判別を行って、否ならば、この判別を繰り返し、是ならば、ステップＳ６に進む（ステップＳ５）。
【００３３】
次に、ステップＳ５で、被加熱物の加熱完了よりも設定時間（１５分）だけ前になったと判別すると、音声告知部３１を駆動して、例えば、「あと、１５分で調理が完了します。」等と音声で告知を行うと共に、光告知部３２を駆動して、赤、青、緑等の目立つ色の光を点滅して、ユーザーに、被加熱物の加熱調理の完了よりも１５分だけ前になったことを光で告知する。このステップＳ２，Ｓ４，Ｓ５およびＳ６は、告知制御部７４を構成する。
【００３４】
このように、被加熱物の加熱完了よりも設定時間（１５分）だけ前になると、ユーザーに音声および光で告知を行うので、ユーザーは頻繁に表示装置をのぞき込んで残時間を確認する必要がなくて、副菜等の調理や暖めを開始するタイミングを定めるのが簡単であり、かつ、副菜等の調理や暖めを開始する適切なタイミングを失することが無い。
【００３５】
特に、この第１実施形態では、音声告知部３１の音声による告知と、光告知部３２の光による告知との両方の告知を行うので、ユーザーにより確実に告知を行うことができる。
【００３６】
尤も、告知は、音声または光の一方のみで行うようにしてもよい。この場合でも、音声または光の告知であるので、確実に告知をすることができる。
【００３７】
さらに、ステップＳ６では、告知制御部７４は、通信装置８１に、被加熱物の加熱調理の完了よりも設定時間（例えば、１５分）だけ前になった旨の情報を、携帯電話機、電子レンジおよびオーブン等の他の機器へ送信させて、予め加熱調理が完了する旨の告知を行う。
【００３８】
このように、携帯電話機に、加熱調理が完了するよりも設定時間だけ前になった旨の情報を送信するので、ユーザーが炊飯器の近くにいなくても、携帯電話機を介して確実に告知をすることができる。
【００３９】
また、副菜などを調理する電子レンジやオーブン等の他の機器に、上述の情報を送信することによって、これらの他の機器の駆動を、加熱調理が完了するよりも設定時間だけ前に開始するなどして、炊飯器の運転と簡単に連携させることができる。
【００４０】
この第１実施形態では、加熱調理器が炊飯器であり、炊飯器は、主にご飯などの主食の加熱調理を行うものであるから、主食の加熱調理の完了よりも設定時間だけ前に、予め加熱調理が完了する旨の告知がされるので、副菜等の調理や暖めを開始するタイミングを定める上で、極めて便利である。
【００４１】
（第２実施形態）
図６は、この発明の第２実施形態の加熱調理器の要部のブロック図であり、第１実施形態の図３とは、制御装置１７０の構成のみが異なる。
【００４２】
この図６に示す第２実施形態の制御装置１７０は、図３に示す第１実施形態の制御装置７０とは、指定期間メニュー名分類頻度表示制御部１７１を含む点のみが異なる。したがって、図６において、図３の構成要素と同一構成要素については、図３の構成要素と同一参照番号を付して詳しい説明は省略する。また、第１実施形態の図１および２は、この第２実施形態でも援用する。
【００４３】
この指定期間メニュー名分類頻度表示制御部１７１は、調理時期によって、旬の材料、調理法、味付けが変わるので、季節、時期に応じて、メニュー名を履歴も考慮して、検索できるようにするものである。
【００４４】
上記指定期間メニュー名分類頻度表示制御部１７１は、ソフトウェアによって構成されていて、図７に示すように動作する。
【００４５】
まず、図７のステップＳ１１で、自動メニューの調理が終了したか否かを判別し、否であると、この判別を繰り返し、是であると、ステップＳ１２に進む。
【００４６】
ステップＳ１２では、調理が終了したメニュー名データと、調理が終了した日付データをメモリ７６に記憶する。この日付データは、加熱調理器に予め設定されているカレンダーデータを参照して、求められる。
【００４７】
ステップＳ１３では、ユーザーが図示しない入力部を操作してメニューの検索をしたか否かを判別する。
【００４８】
ユーザーは、メニューの検索のための入力をすると共に、期間の指定を行う（ステップＳ１４）。この期間は、例えば、一ヶ月や２週間などである。
【００４９】
そうすると、ステップＳ１５に進んで、指定された期間について、過去に調理されたメニュー名を、頻度の高い順に液晶表示部５に表示する。
【００５０】
具体的には、例えば、２０１３年１２月に指定期間が一月として指定された場合、液晶表示部５（図１を参照）に、図８に示す画面が表示される。この図８では、期間２０１２年１２月１日〜２０１３年１２月３１日と、その期間内で調理されたメニュー名（カレーライス、肉じゃが、シチュー、おかゆ…）毎の頻度（８，５，３，３…）と、その日付（１２０１，１２０３，１２０…）とが、調理された頻度の高い順に表形式で表示される。
【００５１】
したがって、ユーザーは、図８に示すように、指定された期間内において、調理された頻度の高い順に表示された画面を見て、季節や履歴を考慮して、簡単に効率よくメニューを検索することができる。
【００５２】
図９は、変形例のバックアップ電池用制御装置２００を示す図である。
【００５３】
この変形例では、一枚の制御基板３００に、半導体素子、容量、抵抗、コイル等の電子部品３０１を搭載する他に、バックアップ電池用制御装置２００を搭載している。したがって、この変形例では、バックアップ電池専用の基板を用いていない。
【００５４】
上記バックアップ電池用制御装置２００は、バックアップ用の一次電池２０１と、充電防止用のダイオード２０３と、このダイオード２０３の故障時に安全機構として動作する抵抗２０４と、常開の第１スイッチ２０５とを、電力供給ライン２０２に直列に接続し、さらに、抵抗２０４に並列に常開の第２スイッチ２０６を接続している。
【００５５】
上記第１および第２スイッチ２０５，２０６は、制御基板３００が被装着側装置（例えば図１に示す蓋体２や本体１等）に組み込まれたときに、被装着側装置の部分によって押圧されて、導通するようになっている。したがって、制御基板３００が被装着側装置に装着された後は、電池２０１から、第２および第１スイッチ２０６，２０５を通して、電力が必要な箇所に供給される。
【００５６】
このように、この変形例では、バックアップ電池専用の基板を用いないで、制御基板３００に電池２０１を実装しているので、基板の枚数を減らすことができて、また、電池ホルダを実装する必要がないので、コストダウンをすることができる。
【００５７】
また、上記制御基板３００が被装着側装置に組み込まれるまでは、第１および第２スイッチ２０５，２０６がオフなので、制御基板３００に電池２０１を実装した状態でも、電池２０１の消耗を抑えることができ、したがって、制御基板３００に電池２０１を実装した状態での長期間の保管が可能になる。
【００５８】
図１０，１１は、他の変形例の制御基板４００の構造示す概略平面図と側面図である。図１０に示すように、制御基板４００は、略コ字状をしていて、電池２０１、第１および第２スイッチ２０５，２０６を搭載している。この制御基板４００を図示しない被装着側装置に組み込むと、その被装着側装置の図１１に示すキートップ５００の膨出部５０１，５０２に第１および第２スイッチ２０５，２０６が押圧されて、第１および第２スイッチ２０５，２０６がオンする。
【００５９】
（第３実施形態）
この第３実施形態は、第１、第２実施形態の制御基板３００と被装着側装置以外の部分は、第１、第２実施形態と同様であるので、それらの説明は、省略する。
【００６０】
この第３実施形態における制御基板は、図示しないが、被装着側装置にビス固定される。その制御基板は、ビス固定される際、そのビス自身によって、上記被装着側装置上に配置されるバックアップ用の一次電池から半導体素子や表示部などの負荷へ繋がる電力供給ラインが導通され、各部に電力が供給される。
【００６１】
このようにして、上記制御基板が被装着側装置に組み込まれ、ビス固定されることによって初めて電池からの電力が必要な箇所に供給されるため、電池の消耗を抑えることができ、したがって、制御基板に電池を実装した状態での長期間の保管が可能になる。
【００６２】
また、ビス固定するという通常の作業の中で導通が確保されるため、作業工程を増やすこともなく、確実に導通を確保することができる。
【００６３】
また、ビス自身によって導通を確保するのではなく、制御基板が実装されることによって、制御基板側の図示しない金属部と、被装着側装置側の金属部とが接触することによって電池の電力供給ラインが導通され、各部に電力が供給されるようにしてもよい。
【００６４】
以上では、加熱調理器の一例として、炊飯器について記載したが、加熱調理器は、炊飯器に限らず、電子レンジ、オーブン、蒸気調理器、過熱蒸気調理器等であってもよい。
【００６５】
また、加熱部は、誘導加熱コイルに限らず、抵抗線式の電気ヒータ、蒸気発生装置、過熱蒸気発生装置等であってもよい。
【００６６】
この発明および実施形態を纏めると、次のようになる。
【００６７】
この発明の加熱調理器は、
本体１と、
上記本体１内に設けられると共に、被加熱物を収容する収容部７と、
上記被加熱物を加熱するための加熱部１０と、
上記本体１に、上記収容部７を開閉するように設けられた蓋体２と、
上記被加熱物の加熱調理の完了よりも設定時間だけ前に、予め加熱調理が完了する旨の告知を行う告知部３１，３２と、
上記加熱部１０を制御する加熱制御部７２と、上記告知部３１，３２に上記告知を行わせる告知制御部７４とを有する制御装置７０，１７０と
を備えることを特徴としている。
【００６８】
上記構成の加熱調理器によれば、上記告知制御部７４は、被加熱物の加熱完了よりも設定時間だけ前になると、告知部３１，３２に予め加熱調理が完了する旨の告知を行わせる。
【００６９】
このように、この発明によれば、ユーザーは、被加熱物の加熱調理の完了よりも設定時間だけ前に、予め加熱調理が完了する旨の告知がされるので、頻繁に表示装置を見て加熱調理の完了までの残時間を確認する必要がなくて、副菜等の調理や暖めを開始するタイミングを定めるのが簡単であり、かつ、副菜等の調理や暖めを開始する適切なタイミングを失することが無い。
【００７０】
１実施形態では、
上記設定時間を可変設定する可変設定部３３を備える。
【００７１】
上記実施形態によれば、上記可変設定部３３で設定時間を任意の値に可変設定できるから、被加熱物の加熱完了よりもどれだけ前に告知を行うかを任意に定めることができて、種々の要求の対応できて、極めて便利である。
【００７２】
１実施形態では、
上記告知部３１，３２は、音声や光で告知を行う。
【００７３】
上記実施形態によれば、上記告知部３１，３２は、例えば、「あと、１５分で調理が完了します。」等という音声や、例えば、赤、青、緑等の目立つ色の光を点滅等の光で告知を行うことができる。
【００７４】
したがって、この実施形態によれば、確実に告知を行うことができる。
【００７５】
特に、音声による告知と、光による告知との両方の告知を行うと、ユーザーにより確実に告知を行うことができる。
【００７６】
尤も、告知は、音声または光の一方のみで行うようにしてもよい。
【００７７】
１実施形態では、
上記加熱調理器は炊飯器である。
【００７８】
上記炊飯器は、主にご飯などの主食の加熱調理を行うものであるから、主食の加熱調理の完了よりも設定時間だけ前に、予め加熱調理が完了する旨の告知がされると、副菜等の調理や暖めを開始するタイミングを定める上で、極めて便利である。
【００７９】
１実施形態は、
通信装置８１を備え、
上記告知制御部７４は、上記通信装置８１に、携帯電話機、電子レンジおよびオーブン等の他の機器に、被加熱物の加熱調理の完了よりも設定時間だけ前になった旨の情報を送信させて、予め加熱調理が完了する旨の告知を行う。
【００８０】
このように、携帯電話機等の他の機器に、加熱調理が完了するよりも設定時間だけ前になった旨の情報を送信するので、ユーザーが炊飯器の近くにいなくても、携帯電話機等を介して確実に告知をすることができる。
【００８１】
また、副菜などを調理する電子レンジやオーブン等の他の機器に、上述の情報を送信することによって、これらの他の機器の駆動を、加熱調理が完了するよりも設定時間だけ前に開始するなどして、炊飯器の運転と簡単に連携させることができる。
【００８２】
第１，第２実施形態および変形例で述べた構成要素は、適宜、組み合わせてもよく、また、適宜、選択、置換、あるいは、削除してもよいのは、勿論である。
【符号の説明】
【００８３】
１  本体
２  蓋体
７  収容部
１０  加熱部
３１，３２  告知部
３３  可変設定部
７０，１７０  制御装置
７２  加熱制御部
７４  告知制御部
８１  通信装置
【図１】
2015147013.tif 000003
【図２】
2015147013.tif 000004
【図３】
2015147013.tif 000005
【図４】
2015147013.tif 000006
【図５】
2015147013.tif 000007
【図６】
2015147013.tif 000008
【図７】
2015147013.tif 000009
【図８】
2015147013.tif 000010
【図９】
2015147013.tif 000011
【図１０】
2015147013.tif 000012
【図１１】
2015147013.tif 000013